(57)【要約】【課題】  構造が簡単、操作が容易、及び組立てが便利な長所を備えたコネクターの改良構造を提供すること。【解決手段】  コネクター本体と、前記コネクター本体内部に設置したスイベル・マウントと、前記コネクター本体頂上面に結合され、且つスイベル・マウントに枢接され、スイベル・マウントを回転させる回転キャップと、コネクター本体内両側の部位にそれぞれ設置され、コネクター本体の電源差込穴に嵌り込むことの出来る玉体と、を含み、電源差込の導電銅片をコネクター本体の差込穴に差し込むと、回転キャップによってスイベル・マウントをある角度回転させ、スイベル・マウント両側の周縁が玉体を差込穴の中に押し込み、且つ差込導電片の孔洞の中に嵌め込み、電源差込がコネクター本体から分離できないようにし、電源差込を外す時は、回転キャップを回し、玉体をスイベル・マウントの押し付けから解放し、導電銅片の孔洞から脱却させ、差込を電源差込穴から分離させる。【選択図】  図３Ａ
0003115122.tif 000002
【実用新案登録請求の範囲】
【請求項１】
コネクター本体と、二枚の電源導片と、二つの玉体と、スイベル・マウントと、位置決めスリーブと、回転キャップとを含み、
前記コネクター本体の前側面には、二つの電源差込穴を設置し、後側面部位には電源差込穴と連通する二つの差込溝を設け、かつコネクター本体の頂端に収容槽を設け、前記収容槽の底端に近い両側にそれぞれ電源差込穴と連通する通路を設け、且つ収容槽の底部には上向きに位置決め軸が延伸し、
前記電源導片は、二つの導電接続ピンを備え、且つその内一つの前縁に近いところに凹部又はリングを設置してあり、
前記二つの電源導電片は、それぞれ本体後側面の差込溝の中に差し込まれ、且つ電源差込穴まで突入し、且つ前記導電接続ピンの凹部又はリングがコネクター本体の通路と対応していて、
前記玉体は、それぞれ本体収容槽両側の通路の上に置かれ、電源差込穴の中へ入り込めるようになっていて、
前記スイベル・マウントは、楕円形状を呈し、且つ底端中央のところに円孔を設け、頂端には凸柱が延伸されており、前記凸柱の上に固定孔が設置されていて、
前記スイベル・マウント底端の円孔を本体収容槽の位置決め軸の上に挿設し、本体収容槽の中で回転できるようになっていて、
前記位置決めスリーブの底端両側にはそれぞれ下向きに二つの対応する位置決め片が延伸され、且つ中央部位に孔洞が設けてあり、
前記位置決めスリーブを本体の収容槽の中に結合し、その底端から延伸する位置決め片と収容槽の通路とによって洞孔を形成し、玉体が丸ごと収容槽の中に入り込むのを制限し、
前記スイベル・マウント頂端の凸柱は、位置決めスリーブの孔洞を通って位置決めスリーブの中に入り込んでいて、
前記回転キャップは、その端部に摘みが延伸され、且つ中央部位において下向きに固定柱が延伸していて、
前記回転キャップを本体の頂上面に被せ、中央の固定柱をスイベル・マウント頂端の固定孔の中に挿設させることによって、回転キャップがコネクター本体の上で回転でき、且つスイベル・マウントを連動回転させ、スイベル・マウントがある角度回転すると、その両側周縁が玉体を押し付けて電源差込穴の中へ入り込ませ、本体の収容槽に戻れないようにした事を特徴とする、
コネクターの改良構造。
【請求項２】
前記コネクター本体の外側にカバー層を被せ、且つ回転キャップをカバー層の頂上面に突き出し、前記カバー層の頂上面に案内溝を設け、前記案内溝の両端にはそれぞれ差し止めブロックを設けて、回転キャップを差し止め、回転キャップが二つの差し止めブロックの間でのみ回動できるようにしてある、且つ回転キャップ摘みの底面に突起ブロックを設けることによって、回転キャップが定位置まで回転すると、前記突起ブロックが案内溝に沿って位置決め溝の上に嵌り、回転キャップが勝手に移動できないようにしたことを特徴とする、請求項１に記載のコネクターの改良構造。
【請求項３】
前記コネクター本体の通路は、凹弧面をなし、前記位置決めスリーブの位置決め片底端も同様に凹弧面をなし、双方が結合して円孔を形成し、玉体が丸ごと本体の収容槽の中へ入り込むのを避けるようにしたことを特徴とする、請求項１に記載のコネクターの改良構造。
【考案の詳細な説明】
【技術分野】
【０００１】
本考案は、コネクターの改良構造、特に電源差込をコネクターの差込穴の中に固定できるコネクターの改良構造に関するものである。
【背景技術】
【０００２】
コネクターの使用率は、相当に広範と言ってよい。交流電源の導引インターフェースとして、ユーザーはただ一般電器製品の差込をコネクターの差込穴に差し込むだけで、交流電源を電器製品に導引することが出来る。電器製品に然るべき作用をもたらし、人々の日常生活上の便利さ及び電気を使用する上での安全性を提供する。
【０００３】
しかし、従来のコネクターには、差込を位置決めする構造が設置されていないため、電器製品を動かした時にややもすればコードが差込穴から外れ、電器製品の作業を中断させ、且つ前記電源差込の銅片もよく引っ張られる関係で曲がったり変形したりして、電源差込がコネクターの差込穴に差し込めなくなることがある。
従って、差込を位置決めして安定させるコネクターの設計が急務である。
以上でわかるように、上述従来の物品には尚幾多の欠点があり、良い設計とは言い難く、改良技術の提案が待たれていた。
【考案の開示】
【考案が解決しようとする課題】
【０００４】
本考案の目的は、玉体を差込導電銅片の穴にはめ込ませることによって、電源差込をコネクターの差込穴に安定させるコネクターの改良構造を提供することにある。
本考案の別の目的は、回転キャップをある角度回転させるだけで、電源差込の位置決め及び釈放（開放）を行うことの出来るコネクターの改良構造を提供することにある。
本考案の又もう一つ別の目的は、構造が簡単、操作が容易、及び組立てが便利など幾多の長所を備えたコネクターの改良構造を提供することにある。
【課題を解決するための手段】
【０００５】
上記した課題を達成するため、本考案に係るコネクターの改良構造は、主としてコネクター本体と、スイベル・マウントと、二つの玉体と、位置決めスリーブと、二枚の電源導片及び回転キャップとによって構成される。前記コネクター本体の前側面には、二つの電源差込穴を設置し、かつコネクター本体の頂端に収容槽を設け、前記収容槽と電源差込穴の間に連通する通路があり、前記通路は玉体を収容するため凹弧面を呈していて、又、前記収容槽の底部に位置決め軸を延伸してある。本体の後側面部位には電源差込穴と連通する二つの差込溝を設けて、電源導片を差し込めるようになっている。前記スイベル・マウントは、やや楕円形状を呈し、その底端は本体収容槽の位置決め軸の上に挿設され、位置決め軸を軸として本体の収容槽の中で回転できるようになっている。前記位置決めスリーブの底端両側にはそれぞれ端部が凹弧状をなす位置決め片が下向きに延伸され、その中央部位には孔洞を設けてある。位置決めスリーブを本体の収容槽内に結合し、その底端位置決め片の凹弧面と収容槽の通路とで円孔を形成することによって、玉体が丸ごと収容槽の中に入り込むのを制限する。前記回転キャップは、本体の頂上面において、本体の収容槽を被せ、且つ回転キャップ中央の固定柱がスイベル・マウント頂端の固定孔の中に差し込まれ、スイベル・マウントを連動回転させる。ユーザーは電源差込をコネクター本体の差込穴へ差し込んだ後、回転キャップをある角度回転させて、スイベル・マウントを連動回転させ、スイベル・マウントの両側周縁が玉体を押し付けて差込穴の中へ入れ、差込の導電銅片の穴に嵌めて差込を位置決めする。差込を抜き取る時は、回転キャップを逆方向へある角度回転させ、玉体がスイベル・マウントの両側周縁の押し付けから解放されると、電源差込を抜き取ることが出来る。
【０００６】
本願の第１考案は、コネクター本体と、二枚の電源導片と、二つの玉体と、スイベル・マウントと、位置決めスリーブと、回転キャップとを含み、前記コネクター本体の前側面には、二つの電源差込穴を設置し、後側面部位には電源差込穴と連通する二つの差込溝を設け、かつコネクター本体の頂端に収容槽を設け、前記収容槽の底端に近い両側にそれぞれ電源差込穴と連通する通路を設け、且つ収容槽の底部には上向きに位置決め軸が延伸し、前記電源導片は、二つの導電接続ピンを備え、且つその内一つの前縁に近いところに凹部又はリングを設置してあり、前記二つの電源導電片は、それぞれ本体後側面の差込溝の中に差し込まれ、且つ電源差込穴まで突入し、且つ前記導電接続ピンの凹部又はリングがコネクター本体の通路と対応していて、前記玉体は、それぞれ本体収容槽両側の通路の上に置かれ、電源差込穴の中へ入り込めるようになっていて、前記スイベル・マウントは、楕円形状を呈し、且つ底端中央のところに円孔を設け、頂端には凸柱が延伸されており、前記凸柱の上に固定孔が設置されていて、前記スイベル・マウント底端の円孔を本体収容槽の位置決め軸の上に挿設し、本体収容槽の中で回転できるようになっていて、前記位置決めスリーブの底端両側にはそれぞれ下向きに二つの対応する位置決め片が延伸され、且つ中央部位に孔洞が設けてあり、前記位置決めスリーブを本体の収容槽の中に結合し、その底端から延伸する位置決め片と収容槽の通路とによって洞孔を形成し、玉体が丸ごと収容槽の中に入り込むのを制限し、前記スイベル・マウント頂端の凸柱は、位置決めスリーブの孔洞を通って位置決めスリーブの中に入り込んでいて、前記回転キャップは、その端部に摘みが延伸され、且つ中央部位において下向きに固定柱が延伸していて、前記回転キャップを本体の頂上面に被せ、中央の固定柱をスイベル・マウント頂端の固定孔の中に挿設させることによって、回転キャップがコネクター本体の上で回転でき、且つスイベル・マウントを連動回転させ、スイベル・マウントがある角度回転すると、その両側周縁が玉体を押し付けて電源差込穴の中へ入り込ませ、本体の収容槽に戻れないようにした事を特徴とする、コネクターの改良構造である。
【０００７】
本願の第２考案は、前記コネクター本体の外側にカバー層を被せ、且つ回転キャップをカバー層の頂上面に突き出し、前記カバー層の頂上面に案内溝を設け、前記案内溝の両端にはそれぞれ差し止めブロックを設けて、回転キャップを差し止め、回転キャップが二つの差し止めブロックの間でのみ回動できるようにしてある、且つ回転キャップ摘みの底面に突起ブロックを設けることによって、回転キャップが定位置まで回転すると、前記突起ブロックが案内溝に沿って位置決め溝の上に嵌り、回転キャップが勝手に移動できないようにしたことを特徴とする、前記第１考案に記載のコネクターの改良構造である。
【０００８】
本願の第３考案は、前記コネクター本体の通路は、凹弧面をなし、前記位置決めスリーブの位置決め片底端も同様に凹弧面をなし、双方が結合して円孔を形成し、玉体が丸ごと本体の収容槽の中へ入り込むのを避けるようにしたことを特徴とする、前記第１考案に記載のコネクターの改良構造である。
【考案の効果】
【０００９】
本考案が提供するコネクターの改良構造は、従来の技術と比較すると、更に下記のような利点がある、
【００１０】
（１）本考案は、玉体を差込の導電銅片の孔洞に嵌り込ませることによって、電源差込をコネクターの差込穴の中に安定して位置決めすることが出来る。
【００１１】
（２）本考案では、回転キャップをある角度回転させるだけで、電源差込の位置決め及び釈放を制御することが出来る。
【００１２】
（３）本考案には、構造が簡単で、操作が容易及び組立てが便利等、幾多の長所がある。
【考案を実施するための最良の形態】
【００１３】
以下、添付図面を参照して本考案の好適な実施の形態を詳細に説明する。
図１〜図３Ａ，３Ｂは、本考案の提供するコネクターの改良構造を示す。
【００１４】
本考案は、主として、コネクター本体１と、前記コネクター本体１の前側面に設置した二つの電源差込穴１１と、電源差込穴１１に垂直設置され且つ連通する差込溝１２と、前記差込溝１２の側面に延伸するスプリング１２１と、前記スプリング１２１の端部に設置された留めブロック１２２と、コネクター本体１の頂端に開設された収容槽１３と、前記収容槽１３の中間に近いところに設置されたキャッチング・グルーブ１３１と、底端に近いところに設置され、電源差込穴１１と連通する通路１４と、前記通路１４の凹弧面に収容された玉体６と、収容槽１３の底部中央において上向きに延伸された位置決め軸１３２と、前記位置決め軸１３２の周縁に環設された位置決めフランジ１３３と、コネクター本体１の頂端外表面に環設されたスライド・グルーブ１５と、
二つの導電接続ピン５１を備え、且つその内一つの前縁に近いところに凹部５１１又はリングを設置した二つの電源導電片５と、
それぞれコネクター本体１両側の通路１４の上に置かれ、電源差込穴１１に入れることのできる二つの玉体６と、
やや楕円形状を呈し、その底端中央に円孔２１を設置したスイベル・マウント２と、
底端両側にそれぞれ二つの対応する位置決め片３１を下向きに延伸した位置決めスリーブ３と、
端部に摘み４１を延伸した回転キャップ４と、を含む。
【００１５】
前記二つの電源導電片５は、それぞれ本体１後側面の差込溝１２の中に差し込まれ、且つ本体１後側面のスプリング１２１の突起ブロック１２２と噛み合い、電源導片５を差込溝１２の中に位置決めすると共に、電源差込穴１１に突入し、且つ前記導電接続ピンの凹部５１１又はリングがコネクター本体１の両側通路１４と対応している。
前記玉体６は、スチール玉・鉄玉又はその他の材質の玉体であってよい。
【００１６】
前記円孔２１の周縁には第一溝２２が環設され、且つその頂端に凸柱２３が延伸され、前記凸柱２３の上には固定孔２３１が設置され、且つ凸柱２３の周縁には第二溝２４が環設されている。
前記スイベル・マウント２底端の円孔２１を本体収容槽１３の位置決め軸１３２の上に挿設することによって、その周縁の第一溝２２及び位置決め軸１３２の周縁の位置決めフランジ１３３とが噛み合い、スイベル・マウント２が位置決め軸１３２を軸として、本体収容槽１３の中で回転できるようにする。
【００１７】
前記位置決め片３１の端部は凹弧状をなし、且つその中央部位に孔洞３２を設け、その内周縁にスライド・グルーブ３３を環設し、その外周縁には留めブロック３４を環設し、且つ位置決めスリーブ３の底面には位置決めフランジ３５が環設してある。
【００１８】
前記位置決めスリーブ３を本体１の収容槽１３の中に結合し、その外縁留めブロック３４と本体収容槽１３の間のキャッチング・グルーブ１３１とを嵌め合わせると、底端から延伸した位置決め片３１の凹弧面と本体１の通路１４の凹弧面とで円孔を形成し、玉体６が丸ごと収容槽１３の中へ入り込むのを制限する。
【００１９】
そしてスイベル・マウント２頂端の凸柱２３が位置決めスリーブの孔洞３２を経由して位置決めスリーブ３の中に入り、頂面の第二溝２４と位置決めスリーブ３底面の位置決めフランジ３５と噛み合う。
【００２０】
前記摘み４１の端部底縁には突起ブロック４１１を設け、且つ回転キャップ４の周縁に内へ向かって第一スライド・ブロック４２を環設し、中央に近い適当な位置に中空柱体４３が下向きに延伸しており、前記中空柱体４３周縁から外へ向かって第二スライド・ブロック４３１が環設され、且つ回転キャップ４の中央部位から下向きに固定柱４４が環設されている。
【００２１】
前記回転キャップ４を本体１の頂上面に被せて、中央の固定柱４４をスイベル・マウント２頂端の固定穴２３１の中に挿設し、回転キャップ４外周縁の第一スライド・ブロック４２と本体１外縁のスライド・グルーブ１５とを噛み合わせる。
【００２２】
そして中空柱体４３周縁の第二スライド・ブロック４３１は、位置決めスリーブ３底縁のスライド・グルーブ３３と噛み合い、回転キャップ４がコネクター本体１の頂上面において回転すると共にスイベル・マウント２を同期回転させる、且つスイベル・マウント２をある角度で回転させると、その両側周縁が玉体６を押し付けて電源差込穴１１の中へ入れ、玉体６が本体１の収容槽１３へ戻れないようにする。
【００２３】
図４Ａ，４Ｂ及び図5Ａ，５Ｂに本考案の実施例の略図を示す。
コネクター本体１の外にカバー層７を設け、且つ回転キャップ４をカバー層７の頂上面に突き出させ、前記カバー層７の頂上面には案内溝７１を設け、前記案内溝７１の端部に位置決め溝７２を設け、且つ案内溝７１の両端にそれぞれ差し止めブロック７３を設けて回転キャップ４を差し止め、回転キャップ４が二つの差し止めブロック７３の間でのみ回動できるようにしてある。
【００２４】
電源差込８の導電銅片８１をコネクター本体１の差込穴１１の中に差し込むと、前記導電銅片８１が電源導片５と接触し、電源を導電銅片８１へ伝導する。
電源差込８を位置決めする時は、回転キャップの摘み４１によって回転キャップ４をある角度回転させ、スイベル・マウント２を同期回転させる、前記回転キャップの摘み４１を回転させる過程で、底端の突起ブロック４１１がカバー層７の案内溝７１に沿って移動し、案内溝７１端部の位置決め溝７２の中に嵌り込み、回転キャップ４を位置決めする。
【００２５】
これに応じてスイベル・マウント２を位置決めさせ、勝手に移動しないようにする。
この時、本体１両側通路１４に置かれた玉体６はスイベル・マウント２に押し付けられて電源差込穴１１の中に入り、且つ電源導片５の導電接続ピン５１凹部５１１又はリングによって電源差込導電銅片８１の孔洞８１１の中に嵌りこみ、電源差込８の導電銅片８１を位置決めさせ、電源差込穴１１から抜け出せないようにする。
【００２６】
差込８を外す時は、回転キャップ４を逆方向へ回転させ、スイベル・マウント２を連動回転させるだけで、玉体６をスイベル・マウント２の押し付けから解放し、電源差込８の導電銅片８１を電源差込穴１１から抜き出させ、且つ玉体６を本体１の通路１４へ押し戻す。
【図面の簡単な説明】
【００２７】
【図１】本考案に係るコネクターの改良構造の分解略図である。
【図２Ａ】前記コネクターの改良構造の斜視略図である。
【図２Ｂ】前記コネクターの改良構造の斜視略図である。
【図３Ａ】前記コネクターの改良構造の断面略図である。
【図３Ｂ】前記コネクターの改良構造の断面略図である。
【図４Ａ】前記コネクターの改良構造の実施略図である。
【図４Ｂ】前記コネクターの改良構造の実施略図である。
【図５Ａ】前記コネクターの改良構造の実施断面図である。
【図５Ｂ】前記コネクターの改良構造の実施断面図である。
【符号の説明】
【００２８】
１・・・・・・コネクター本体
１１・・・・・電源差込穴
１２・・・・・差込溝
１２１・・・・スプリング
１２２・・・・留めブロック
１２・・・・・収容槽
１３１・・・・キャッチング・グルーブ
１３２・・・・位置決め軸
１３３・・・・位置決めフランジ
１２・・・・・通路
１３・・・・・スライド・グルーブ
２・・・・・・イベル・マウント
２１・・・・・円孔
２２・・・・・第一溝
２３・・・・・凸柱
２３１・・・・固定穴
２４・・・・・第二溝
３・・・・・・位置決めスリーブ
３１・・・・・位置決め片
３２・・・・・孔洞
３３・・・・・スライド・グルーブ
３４・・・・・留めブロック
３５・・・・・位置決めフランジ
４・・・・・・回転キャップ
４１・・・・・摘み
４１１・・・・突起ブロック
４２・・・・・第一スライド・ブロック
４３・・・・・中空柱体
４３１・・・・第二スライド・ブロック
４４・・・・・固定柱
５・・・・・・電源導片
５１・・・・・導電接続ピン
５１１・・・・凹部
６・・・・・・玉体
７・・・・・・カバー層
７１・・・・・案内溝
７２・・・・・位置決め溝
７３・・・・・差し止めブロック
８・・・・・・電源差込
８１・・・・・導電銅片
８１１・・・・孔洞
【図１】
0003115122.tif 000003
【図２Ａ】
0003115122.tif 000004
【図２Ｂ】
0003115122.tif 000005
【図３Ａ】
0003115122.tif 000006
【図３Ｂ】
0003115122.tif 000007
【図４Ａ】
0003115122.tif 000008
【図４Ｂ】
0003115122.tif 000009
【図５Ａ】
0003115122.tif 000010
【図５Ｂ】
0003115122.tif 000011